(57)【要約】【課題】切り花の姿勢をより安定化できる切り花用容器を提供する。【解決手段】一輪の切り花Ｆを収容するための容器本体１０を備えた切り花用容器１であって、容器本体１０は、透明な合成樹脂材からなり、下方に向かうに従って徐々に細くなる。【選択図】図１
2019218117.tif 000002
【特許請求の範囲】
【請求項１】
一輪の切り花を収容するための容器本体を備えた切り花用容器であって、
前記容器本体は、透明な合成樹脂材からなり、下方に向かうに従って徐々に細くなる、切り花用容器。
【請求項２】
前記容器本体が挿通され、該容器本体にならって上方に向かうに従って徐々に拡開する中空の装飾部材を備えた、請求項１に記載の切り花用容器。
【請求項３】
前記容器本体は、上端から上方に突出するフランジを有し、
前記フランジには、掛止孔が形成された、請求項１又は２に記載の切り花用容器。
【請求項４】
前記容器本体に取着された磁石を備えた、請求項１〜３のいずれか一項に記載の切り花用容器。
【発明の詳細な説明】
【技術分野】
【０００１】
本発明は、切り花用容器に関するものである。
【背景技術】
【０００２】
従来、切り花用容器としては、例えば特許文献１に記載されたものが知られている。この切り花用容器は、前後に開閉可能な容器前部及び容器後部を備えている。切り花用容器は、これら容器前部及び容器後部（凹部）の周縁同士を嵌合することで、一輪の切り花（生花）を収容するための容器本体を形成する。
【先行技術文献】
【特許文献】
【０００３】
【特許文献１】実用新案登録第３１８０４３９号公報
【発明の概要】
【発明が解決しようとする課題】
【０００４】
ところで、特許文献１では、基本的に切り花の容器本体が略直方体であることで、切り花の姿勢が不安定になるなどその収まりが悪かった。これは、切り花の花冠（花びら）に比べて該花冠から下方に延びる花軸（又は茎）が細く、容器本体での位置が決まらないためである。容器後部の底部に貯水ポットを設けてその筒状体に切り花を差し込んでいるのは、仮に給水が不要であったとしても切り花の姿勢の安定化のために必要になることは容易に推測される。
【０００５】
本発明の目的は、切り花の姿勢をより安定化できる切り花用容器を提供することにある。
【課題を解決するための手段】
【０００６】
上記課題を解決する切り花用容器は、一輪の切り花を収容するための容器本体を備えた切り花用容器であって、前記容器本体は、透明な合成樹脂材からなり、下方に向かうに従って徐々に細くなる。
【０００７】
この構成によれば、前記容器本体が下方に向かうに従って徐々に細くなることで、前記切り花の花冠に比べて該花冠から下方に延びる花軸（又は茎）が細くても、前記容器本体での位置がより決まりやすくなる。このため、前記切り花の姿勢をより安定化できる。
【０００８】
上記切り花用容器について、前記容器本体が挿通され、該容器本体にならって上方に向かうに従って徐々に拡開する中空の装飾部材を備えることが好ましい。
この構成によれば、前記容器本体が前記装飾部材に挿通されることで、見栄えをより向上できる。また、前記容器本体から外した前記装飾部材を逆さの姿勢で卓上に置けば、前記装飾部材が下方に向かうに従って徐々に拡開することになる。このため、卓上に前記装飾部材をより安定した状態で支持できる。そして、このように支持した前記装飾部材に上方から前記容器本体を挿入すれば、前記装飾部材が台座代わりになって、前記容器本体を卓上に立てることができる。このため、前記容器本体と共にその収容する前記切り花を卓上に立てて鑑賞できる。
【０００９】
上記切り花用容器について、前記容器本体は、上端から上方に突出するフランジを有し、前記フランジには、掛止孔が形成されることが好ましい。
この構成によれば、前記掛止孔にフックを挿入することで、該フックに前記容器本体を掛止でき、該容器本体と共にその収容する前記切り花をフック掛けの状態で鑑賞できる。
【００１０】
上記切り花用容器について、前記容器本体に取着された磁石を備えることが好ましい。
この構成によれば、前記磁石を金属製の壁面に引っ付けることで、該壁面に前記容器本体と共にその収容する前記切り花を引っ付けた状態で鑑賞できる。
【発明の効果】
【００１１】
本発明は、切り花の姿勢をより安定化できる効果がある。
【図面の簡単な説明】
【００１２】
【図１】切り花用容器の一実施形態についてその構造を示す正面図。
【図２】同実施形態の切り花用容器についてその容器本体の分解状態を示す正面図。
【図３】図２の３−３線に沿った断面図。
【図４】同実施形態の切り花用容器についてその使用状態を示す正面図。
【図５】同実施形態の切り花用容器についてその使用状態を示す側面図。
【図６】同実施形態の切り花用容器についてその使用状態を示す正面図。
【発明を実施するための形態】
【００１３】
以下、切り花用容器の一実施形態について説明する。
図１に示すように、切り花用容器１は、一輪の切り花Ｆを収容するための容器本体１０と、装飾部材６０とを備える。
【００１４】
容器本体１０は、シート成型で形成された透明な合成樹脂（例えばＰＥＴ）製であって、下方に向かうに従って徐々に細くなる中空の略錐台状の錘状部１１と、該錘状部１１の上端に接続されてその開口を閉塞する上壁部１２と、錘状部１１の下端に接続されてその開口を閉塞する下壁部１３とを有する。上壁部１２は、上方に膨出する略ドーム形状を呈しており、下壁部１３は、下方に膨出する略受け皿形状を呈している。
【００１５】
装飾部材６０は、例えば装飾性に優れた紙製であって、錘状部１１（容器本体１０）にならって下方に向かうに従い徐々に細くなる中空の略錐台状に成形されている。つまり、装飾部材６０は、錘状部１１にならって上方に向かうに従って徐々に拡開している。装飾部材６０は、上方から挿入された錘状部１１の上下方向中間部でこれに嵌合する。
【００１６】
図２〜図３に示すように、容器本体１０は、その外形を前後に縦割りしたケース部２０及びカバー部３０と、それらケース部２０及びカバー部３０を前後方向に開閉可能に連結するヒンジ部４０とを有する。
【００１７】
ケース部２０は、正面視略逆涙滴状の背壁２１及び該背壁２１の周縁に接続されて前方（図２において紙面に直交する手前側）に起立する周壁２２を有することで前方の拡開された盛り皿状に成形されている。従って、ケース部２０は、前方に開口する略四角錐台の半筒状のケース側錘状部２３と、該ケース側錘状部２３の上端に接続されてその上方を覆う略半ドーム形状のケース側上壁部２４と、ケース側錘状部２３の下端に接続されてその下方を覆う略半受け皿形状のケース側下壁部２５とを有する。
【００１８】
また、ケース部２０には、周壁２２の周縁の略全長に亘って延伸する略枠状のケース側嵌合部２６が前向きに突設されている。このケース側嵌合部２６の外周面は嵌合面２６ａを形成する。
【００１９】
なお、ケース部２０には、ケース側上壁部２４に位置するケース側嵌合部２６の先端（上端）から上向きに略舌片状のフランジ２７が突設されている。そして、フランジ２７の中央部には、略円形の掛止孔２８が形成されている。
【００２０】
カバー部３０は、後方に開口する略円錐台の半筒状のカバー側錘状部３１と、該カバー側錘状部３１の上端に接続されてその上方を覆う略半ドーム形状のカバー側上壁部３２と、カバー側錘状部３１の下端に接続されてその下方を覆う略半受け皿形状のカバー側下壁部３３とを有する。
【００２１】
また、カバー部３０には、その周縁の略全長に亘って延伸する略枠状のカバー側嵌合部３４が後向きに突設されている。このカバー側嵌合部３４の内周面は嵌合面３４ａを形成する。
【００２２】
ヒンジ部４０は、ケース側錘状部２３及びカバー側錘状部３１において互いに平行に延びるケース側嵌合部２６及びカバー側嵌合部３４の間に介設されており、長手方向に略Ｕ字の一定断面を有する。ケース部２０及びカバー部３０は、ヒンジ部４０を弾性変形させつつ該ヒンジ部４０を中心に開閉可能である。そして、ケース部２０及びカバー部３０を閉じたとき、両嵌合面２６ａ，３４ａの当接又は圧接状態でケース側嵌合部２６及びカバー側嵌合部３４が嵌合する。
【００２３】
これに伴い、ケース側錘状部２３及びカバー側錘状部３１は、協働して容器本体１０の錘状部１１を構成する。同様に、ケース側上壁部２４及びカバー側上壁部３２は、協働して容器本体１０の上壁部１２を構成するとともに、ケース側下壁部２５及びカバー側下壁部３３は、協働して容器本体１０の下壁部１３を構成する。
【００２４】
一方、ケース側嵌合部２６及びカバー側嵌合部３４の嵌合を外してヒンジ部４０を弾性変形させつつケース部２０及びカバー部３０を開けば、収容する切り花Ｆを取り出したり、交換したりできる。
【００２５】
本実施形態の作用について説明する。
一輪の切り花Ｆを容器本体１０に収容する際には、ケース部２０及びカバー部３０をヒンジ部４０の周りに開いた状態で、切り花Ｆの花冠側を上壁部１２側に一致させる。そして、ケース部２０及びカバー部３０のいずれか一方に切り花Ｆを入れて、ヒンジ部４０の周りに閉じつつケース側嵌合部２６及びカバー側嵌合部３４を嵌合する。これにより、切り花Ｆが容器本体１０に略全体が覆われた状態で収容される。この場合、容器本体１０が下方に向かうに従って徐々に細くなることで、切り花Ｆの花冠に比べて該花冠から下方に延びる花軸（又は茎）が細くても、容器本体１０での位置がより決まりやすくなる。
【００２６】
そして、切り花Ｆを収容した容器本体１０を上方から装飾部材６０に嵌挿する。これにより、切り花用容器１の見栄えがより向上される。
また、図４に示すように、容器本体１０から外した装飾部材６０を逆さの姿勢で卓上（例えば机、テーブル等の上）に置けば、装飾部材６０が下方に向かうに従って徐々に拡開することになる。このため、卓上に装飾部材６０をより安定した状態で支持できる。そして、このように支持した装飾部材６０に上方から容器本体１０を挿入すれば、装飾部材６０が台座代わりになって、容器本体１０を卓上に立てることができる。
【００２７】
さらに、図５に示すように、例えば壁等に固着されたフックＫを掛止孔２８に挿入することで、フックＫに容器本体１０を掛止できる。
本実施形態の効果について説明する。
【００２８】
（１）本実施形態では、切り花Ｆの花冠に比べて該花冠から下方に延びる花軸（又は茎）が細くても、容器本体１０での位置がより決まりやすくなる。このため、切り花Ｆの姿勢をより安定化できる。また、容器本体１０に切り花Ｆの姿勢をより安定化するための部材を別設する必要がないことで、部品点数の増加を抑制できる。
【００２９】
（２）本実施形態では、容器本体１０が装飾部材６０に挿通されることで、見栄えをより向上できる。また、逆さの姿勢で卓上に置いた装飾部材６０に上方から容器本体１０を挿入すれば、装飾部材６０が台座代わりになって、容器本体１０を卓上に立てることができる。このため、例えば所有者は、容器本体１０と共にその収容する切り花Ｆを卓上に立てて鑑賞できる。
【００３０】
（３）本実施形態では、フックＫに容器本体１０を掛止でき、例えば所有者は、容器本体１０と共にその収容する切り花Ｆをフック掛けの状態で鑑賞できる。あるいは、販売店は、容器本体１０と共にその収容する切り花Ｆをフック掛けの状態で販売できる。
【００３１】
（４）本実施形態では、容器本体１０は、周縁同士が嵌脱可能なケース部２０及びカバー部３０と、ケース部２０及びカバー部３０を開閉可能に連結するヒンジ部４０とを有する。このように、ケース部２０及びカバー部３０がヒンジ部４０を介して一体化された容器本体１０であることで、部品点数の増加を抑制できる。
【００３２】
本実施形態は、以下のように変更して実施することができる。本実施形態及び以下の変更例は、技術的に矛盾しない範囲で互いに組み合わせて実施することができる。
・図６に示すように、容器本体１０に磁石Ｍを取着してもよい。この磁石Ｍは、例えば容器本体１０の上下方向中間部で該容器本体１０内に収容・固着されている。この場合、磁石Ｍを金属製の壁面（例えば冷蔵庫の扉面等）Ｗに引っ付けることで、例えば所有者は、壁面Ｗに容器本体１０と共にその収容する切り花Ｆを引っ付けた状態で鑑賞できる。なお、磁石Ｍは、容器本体１０に収容しないでその外面に固着してもよい。
【００３３】
・前記実施形態において、容器本体１０のヒンジ部４０を省略して、ケース部２０及びカバー部３０を分離してもよい。この場合、ケース部２０及びカバー部３０は、互いに開口側を対向させてケース側嵌合部２６及びカバー側嵌合部３４を嵌合させることで結合できる。
【００３４】
・前記実施形態においては、縦割りにしたケース部２０及びカバー部３０によって容器本体１０を構成した。これに対し、例えば錘状部１１及び上壁部１２の境界部で分割したケース部及びカバー部によって容器本体１０を構成してもよい。
【００３５】
・前記実施形態において、掛止孔２８の形成されたフランジ２７に代えて、若しくは加えて、カバー側上壁部３２に位置するカバー側嵌合部３４の先端（上端）から上向きに掛止孔の形成されたフランジを突設してもよい。
【００３６】
・前記実施形態において、掛止孔２８の形成されたフランジ２７を省略してもよい。
・前記実施形態において、装飾部材６０は、ＰＥＴ、ＡＢＳ、ＡＥＳ、ＰＭＭＡ、ＰＣ、ＰＰ、ＰＥ、ＰＳ、ＰＶＣなどの合成樹脂製であってもよい。
【００３７】
・前記実施形態において、装飾部材６０を省略してもよい。
・前記実施形態において、ケース部２０のケース側錘状部２３は、前方に開口する略円錐台の半筒状であってもよい。つまり、錘状部１１（容器本体１０）は、下方に向かうに従って徐々に細くなる略円錐台状であってもよい。あるいは、カバー部３０のカバー側錘状部３１は、後方に開口する略四角錐台の半筒状であってもよい。つまり、錘状部１１（容器本体１０）は、下方に向かうに従って徐々に細くなる略四角錐台状であってもよい。
【００３８】
・前記実施形態において、容器本体１０は、下方に向かうに従って徐々に細くなるのであれば、その形状は任意である。例えば下方に向かうに従って徐々に細くなる変化度合は、一定でなくてもよい。
【００３９】
・前記実施形態の切り花用容器１において、容器本体１０は、ＡＢＳ、ＡＥＳ、ＰＭＭＡ、ＰＣ、ＰＰ、ＰＥ、ＰＳ、ＰＶＣなどの透明な合成樹脂製であってもよい。
・前記実施形態の切り花用容器１において、容器本体１０は、防曇性を有することが好ましい。
【００４０】
上記実施形態及び変更例から把握できる技術的思想について記載する。
（イ）上記切り花用容器において、
前記容器本体は、
周縁同士が嵌脱可能なケース部及びカバー部と、
前記ケース部及び前記カバー部を開閉可能に連結するヒンジ部とを有した、切り花用容器。
【００４１】
この構成によれば、前記ケース部及び前記カバー部が前記ヒンジ部を介して一体化された前記容器本体であることで、部品点数の増加を抑制できる。
【符号の説明】
【００４２】
Ｆ…切り花、Ｍ…磁石、１…切り花用容器、１０…容器本体、１１…錘状部、２０…ケース部、２７…フランジ、２８…掛止孔、３０…カバー部、４０…ヒンジ部、６０…装飾部材。
【図１】
2019218117.tif 000003
【図２】
2019218117.tif 000004
【図３】
2019218117.tif 000005
【図４】
2019218117.tif 000006
【図５】
2019218117.tif 000007
【図６】
2019218117.tif 000008